(57)【要約】  入力信号の所定の周波数帯域に対するゲイン調整を行うためのブースト量が設定自在であり、前記ブースト量を変化させることにより前記入力信号のゲイン調整を行う演算回路（７ａ）と、前記演算回路の前段または後段に接続されるとともに、第１のコンダクタンスアンプ及び第２のコンダクタンスアンプを有し、前記第１のコンダクタンスアンプ及び前記第２のコンダクタンスアンプの少なくとも一方のコンダクタンスを変化させることにより、前記入力信号の群遅延特性を調整して補正するオールパスフィルタ（７ｂ）とを備える。【特許請求の範囲】
【請求項１】
当該波形等化器への入力信号の所定の周波数帯域に対するゲイン調整を行うためのブースト量が設定自在であり、前記ブースト量を変化させることにより前記入力信号のゲイン調整を行う演算回路と、前記演算回路の前段または後段に接続されるとともに、第１のコンダクタンスアンプ及び第２のコンダクタンスアンプを有し、前記第１のコンダクタンスアンプ及び前記第２のコンダクタンスアンプの少なくとも一方のコンダクタンスを変化させることにより、前記入力信号の群遅延特性を調整して補正するオールパスフィルタとを備えたことを特徴とする波形等化器。
【請求項２】
前記オールパスフィルタは、前記第１のコンダクタンスアンプの入出力回路間に接続され、第１のコンデンサを含む微分器、及び前記第１のコンダクタンスアンプの入力側と前記第２のコンダクタンスアンプの出力側間に接続される第２のコンデンサ、を更に有してなることを特徴とする請求項１に記載の波形等化器。
【請求項３】
前記第１のコンダクタンスアンプの一方の入力端子には前記オールパスフィルタへの入力電圧が与えられ、前記第２のコンダクタンスアンプの一方の入力端子には前記第１のコンダクタンスアンプの出力端子に加わる電圧が与えられ、前記第１のコンダクタンスアンプの他方の入力端子及び前記第２のコンダクタンスアンプの他方の入力端子には、前記オールパスフィルタの出力電圧に相当する前記第２のコンダクタンスアンプの出力端子に加わる電圧がそれぞれ与えられており、前記オールパスフィルタへの入力電圧と前記第１のコンダクタンスアンプの出力端子に加わる電圧は、位相が反転していることを特徴とする請求項２に記載の波形等化器。
【請求項４】
前記オールパスフィルタは、前記第１のコンダクタンスアンプのコンダクタンスを固定とする一方、前記第２のコンダクタンスアンプのコンダクタンスを可変とし、前記第２のコンダクタンスアンプのコンダクタンスを変化させることにより、前記入力信号の直流域の群遅延を固定しつつ前記入力信号の群遅延特性を調整して補正することを特徴とする請求項２または請求項３に記載の波形等化器。
【請求項５】
前記オールパスフィルタは、前記第１のコンダクタンスアンプのコンダクタンスを可変とし、前記第１のコンダクタンスアンプのコンダクタンスを変化させることにより、前記入力信号の群遅延特性を補正する周波数帯域を変更することを特徴とする請求項２または請求項３に記載の波形等化器。
【請求項６】
前記演算回路は、等リプルフィルタからなることを特徴とする請求項１〜請求項３の何れかに記載の波形等化器。
【請求項７】
被記録媒体に記録された情報を検出して電気信号に変換する検出部と、前記電気信号を入力信号として受ける波形等化器と、該波形等化器からの出力を処理する処理回路とを備える情報再生装置において、
前記波形等化器として請求項１〜請求項３の何れかに記載の波形等化器を用い、前記ブースト量の設定、及び前記第１のコンダクタンスアンプのコンダクタンスと前記第２のコンダクタンスアンプのコンダクタンスのうち、可変となっているコンダクタンスの設定を行う制御部を備えたことを特徴とする情報再生装置。
【発明の詳細な説明】
【技術分野】
【０００１】
本発明は、入力された信号に等化処理を行う波形等化器、及び該波形等化器を有し光ディスク等に記憶された情報を再生する情報再生装置に関する。
【背景技術】
【０００２】
従来から、ハードディスク等の磁気ディスクやコンパクトディスク（ＣＤ）等の光ディスクを被記録媒体とする情報再生装置がコンピュータの外部記憶装置やオーディオ機器等に用いられている。【０００３】
一般に、光ディスク等から再生される再生信号の周波数が高域になればなるほど、再生信号の振幅は低域（例えば、１ＭＨｚ以下）におけるものより小さくなる。つまり、再生信号は高域（例えば、１００ＭＨｚ以上程度）において減衰してしまう。この高域における再生信号の減衰は、光ディスク再生装置を例にとれば、光ディスクに記憶された情報を光信号として検出する光ピックアップ部や該光信号を電気信号に変換する回路の応答特性等に対応して生じるものであるが、従来より、この減衰した高域の振幅を低域における振幅と同等にするために、高域に対してゲインを上げる（以下、「ブーストする」という）という等化（イコライジング）処理が行われている。【０００４】
通常、この等化処理における高域のブースト量（低域の周波数帯域におけるゲインを基準とした高域の周波数帯域におけるゲイン）は、情報再生装置に設けられた制御回路等を用いて設定自在となっており、高域で減衰した再生信号の振幅を低域における振幅と同様になるようにブースト量の調整を行って、光ディスク等の被記録媒体に記録された情報の読み取り精度の向上（読み取りエラーの減少）を図っている。【０００５】
このブースト量を調整する構成としては、等リプルフィルタ（イクイリプルフィルタ）等が一般的に用いられる。図６及び図７に等リプルフィルタの特性を示す。図６の線１００に示すように、高域におけるゲインが低域におけるものより大きい。また、図７の線１０１に示すように、群遅延に周波数依存性はない（位相対周波数特性が線形である）ため、等リプルフィルタの入出力波形間で、各々の帯域間における群遅延差に変化は生じない。
【発明の開示】
【発明が解決しようとする課題】
【０００６】
一方において、近年、光ディスク等の被記録媒体に記録された情報の再生の高速化に対する要望は高まっている。該高速化を実現しようとした際、再生信号における低域の周波数帯（例えば、１ＭＨｚ以下程度）の群遅延と高域の周波数帯（例えば、１００ＭＨｚ以上程度）の群遅延との間に比較的大きな群遅延差が発生する（通常、低域における群遅延より高域における群遅延の方が小さくなる）。【０００７】
この群遅延差は、上記等化処理を行う回路を含む集積回路（ＩＣ）の内部における要因や、光ピックアップ部機構の応答特性等のＩＣ外部における要因が複合して発生するのであるが、従来の等リプルフィルタのみによる等化処理では、群遅延差の補正（群遅延差をゼロとする、または減少させる）は困難であり、該群遅延差による再生信号の波形歪みが、光ディスク等の被記録媒体に記録された情報の読み取り精度を劣化（読み取りエラーを増加）させてしまう。【０００８】
本発明は、上記の点に鑑み、減衰した周波数帯域のゲイン調整と群遅延の調整を、別個独立に行うことができ、信号の等化処理を容易に行うことができる波形等化器及び情報再生装置を提供することを目的とする。
【課題を解決するための手段】
【０００９】
上記目的を達成するために本発明に係る波形等化器は、当該波形等化器への入力信号の所定の周波数帯域に対するゲイン調整を行うためのブースト量が設定自在であり、前記ブースト量を変化させることにより前記入力信号のゲイン調整を行う演算回路と、前記演算回路の前段または後段に接続されるとともに、第１のコンダクタンスアンプ及び第２のコンダクタンスアンプを有し、前記第１のコンダクタンスアンプ及び前記第２のコンダクタンスアンプの少なくとも一方のコンダクタンスを変化させることにより、前記入力信号の群遅延特性を調整して補正するオールパスフィルタとを備えている。【００１０】
これにより、高域で減衰した入力信号のゲイン調整と、群遅延特性を補正するための調整を、別個独立に行うことができる。また、調整を個別に行えるため、波形等化器に対する入力信号の等化処理を行うための調整が容易になる。【００１１】
また、上記構成を実現するために、前記オールパスフィルタは、前記第１のコンダクタンスアンプの入出力回路間に接続され、第１のコンデンサを含む微分器、及び前記第１のコンダクタンスアンプの入力側と前記第２のコンダクタンスアンプの出力側間に接続される第２のコンデンサ、を更に有するようにするとよい。【００１２】
また、更に上記構成を実現するために、前記第１のコンダクタンスアンプの一方の入力端子には前記オールパスフィルタへの入力電圧が与えられ、前記第２のコンダクタンスアンプの一方の入力端子には前記第１のコンダクタンスアンプの出力端子に加わる電圧が与えられ、前記第１のコンダクタンスアンプの他方の入力端子及び前記第２のコンダクタンスアンプの他方の入力端子には、前記オールパスフィルタの出力電圧に相当する前記第２のコンダクタンスアンプの出力端子に加わる電圧がそれぞれ与えられており、前記オールパスフィルタへの入力電圧と前記第１のコンダクタンスアンプの出力端子に加わる電圧は、位相が反転している。【００１３】
また、前記オールパスフィルタは、前記第１のコンダクタンスアンプのコンダクタンスを固定とする一方、前記第２のコンダクタンスアンプのコンダクタンスを可変とし、前記第２のコンダクタンスアンプのコンダクタンスを変化させることにより、前記入力信号の直流域の群遅延を固定しつつ前記入力信号の群遅延特性を調整して補正するようにしてもよい。【００１４】
これにより、直流域の群遅延を固定し、容易に高域のみの群遅延を調整することができる。また、前記第１のコンダクタンスアンプのコンダクタンスを可変とする必要がないので、前記第１のコンダクタンスアンプの回路規模を小さくすることができ、ひいては波形等化器の回路規模を小さくすることができる。また、前記第１のコンダクタンスアンプを外部から制御する必要がなくなるため、配線の省略、制御処理の簡略化が図れる。【００１５】
また、前記オールパスフィルタは、前記第１のコンダクタンスアンプのコンダクタンスを可変とし、前記第１のコンダクタンスアンプのコンダクタンスを変化させることにより、前記入力信号の群遅延特性を補正する周波数帯域を変更するようにしてもよい。【００１６】
群遅延特性を補正する周波数帯域が流動的である場合は、第１のコンダクタンスアンプのコンダクタンスを変化させることにより、群遅延の調整が容易となる。【００１７】
また、前記演算回路は、等リプルフィルタからなるようにしてもよい。【００１８】
等リプルフィルタの位相対周波数特性は線形であるため、入力信号の等化処理を行うための調整がより容易になる。【００１９】
また、上記目的を達成するために本発明に係る情報再生装置は、被記録媒体に記録された情報を検出して電気信号に変換する検出部と、前記電気信号を入力信号として受ける波形等化器と、該波形等化器からの出力を処理する処理回路とを備える情報再生装置において、波形等化器として上記に記載の波形等化器の何れかを用い、前記ブースト量の設定、及び前記第１のコンダクタンスアンプのコンダクタンスと前記第２のコンダクタンスアンプのコンダクタンスのうち、可変となっているコンダクタンスの設定を行う制御部を備えている。
【発明の効果】
【００２０】
上述した通り、本発明に係る波形等化器及び情報再生装置によれば、減衰した周波数帯域のゲイン調整と群遅延の調整を、別個独立に行うことができ、信号の等化処理を容易に行うことができる。
【図面の簡単な説明】
【００２１】
【図１】本発明の実施形態に係るＣＤ再生装置のブロック図である。
【図２】図１におけるオールパスフィルタの回路構成図である。
【図３】図１におけるオールパスフィルタの群遅延特性を示す図である。
【図４】図１におけるオールパスフィルタの群遅延特性を示す図である。
【図５】図１におけるオールパスフィルタの変形例の回路構成図である。
【図６】従来より波形等化器に用いられている等リプルフィルタの特性を示す図である。
【図７】従来より波形等化器に用いられている等リプルフィルタの特性を示す図である。
【符号の説明】
【００２２】
１    ＣＤ再生装置
２    ＣＤ
３    スピンドルモータ
４    光ピックアップ
５    ディテクタ
６    ＲＦアンプ
７    波形等化部
７ａ    等リプルフィルタ
７ｂ、６７ｂ    オールパスフィルタ
８    Ａ／Ｄコンバータ
９    信号処理部
１０    ドライバ
１１    ＣＰＵ
２２、２３    可変コンダクタンスアンプ
７０、７１    差動入力差動出力型の可変コンダクタンスアンプ
２４    インバータ
２５、２６、７２、７３、７４、７５    コンデンサ
２０、２１、６０、６１、６２、６３    端子
【発明を実施するための最良の形態】
【００２３】
以下、本発明に係る波形等化器及びこの波形等化器を有する情報再生装置の実施形態について、図面を参照しながら説明する。図１は、情報再生装置の例としてＣＤ再生装置の構成を示したものである。【００２４】
（図１：ＣＤ再生装置の概略）
図１において、２は被記録媒体であるコンパクトディスク（ＣＤ）であり、ＣＤ再生装置１は、ＣＤ２を回転駆動するスピンドルモータ３と、ＣＤ２に記録された情報をレーザー光を用いて読みとるための光ピップアップ４と、光ピックアップ４で検出された光信号を電気信号に変換しＲＦ（Radio  Frequency：高周波）信号として出力するディテクタ５と、該ＲＦ信号を増幅するＲＦアンプ６と、ブースト量が自在に設定可能でありＲＦアンプ６から出力される増幅したＲＦ信号のうち高域の周波数帯域をブーストしてゲイン調整を行う等リプルフィルタ（イクイリプルフィルタ）７ａと、等リプルフィルタ７ａの出力する信号の群遅延特性を補正する（各々の帯域間における群遅延差をなくす）オールパスフィルタ７ｂと、オールパスフィルタ７ｂの出力する等化信号を二値化するＡ／Ｄコンバータ８と、Ａ／Ｄコンバータ８からのデジタル信号を処理してＣＤ２に記録された情報を利用または図示しないメモリ等に該情報を提供する信号処理部９と、上記スピンドルモータ３及び光ピックアップ４のサーボ機構を制御するドライバ１０と、上記等リプルフィルタ７ａ、オールパスフィルタ７ｂ及びドライバ１０を制御するＣＰＵ（Central  Processing  Unit：中央処理装置）１１とから概略構成される。尚、上記等リプルフィルタ７ａ、オールパスフィルタ７ｂ及びドライバ１０を制御する機能を有するものとしてＣＰＵ１１を例示したが、同様の機能を有するものであれば何れでもＣＰＵ１１と置換可能である（例えば、ＭＰＵ（Micro  Processing  Unit）等）。【００２５】
等リプルフィルタ７ａのブースト量を決定するための信号は、ＣＰＵ１１から与えられており、後述するオールパスフィルタ７ｂの特性を決定する信号も、ＣＰＵ１１から与えられている。また、等リプルフィルタ７ａとオールパスフィルタ７ｂは、ＲＦアンプ６が出力する増幅されたＲＦ信号の波形を等化し、等化信号を出力する波形等化部７を構成する。また、等リプルフィルタ７ａの特性は、図６及び図７におけるものと同様であるため、説明を省略する。【００２６】
（図２：オールパスフィルタの構成・動作）
次に、オールパスフィルタ７ｂの回路構成について図２を用いて説明する。オールパスフィルタ７ｂは、２つの可変コンダクタンスアンプ（以下、単に「ｇｍアンプ」と記す）２２及び２３を有し、それぞれのコンダクタンスｇｍ１、ｇｍ２はＣＰＵ１１からの電流制御または電圧制御により、それぞれ自在に設定可能となっている。等リプルフィルタ７ａの出力電圧は、端子２０を介してｇｍアンプ２２の正（非反転）入力端子（＋）、インバータ２４の入力端子、及びコンデンサ２６の一端に夫々与えられており、コンデンサ２６の他端はｇｍアンプ２３の出力端子及び負（反転）入力端子（−）、並びにｇｍアンプ２２の負入力端子（−）の夫々と接続されている。インバータ２４の出力端子はコンデンサ２５を介してｇｍアンプ２２の出力端子及びｇｍアンプ２３の正入力端子（＋）の夫々に接続されている。また、ｇｍアンプ２３の出力端子に加わる電圧は端子２１介して、Ａ／Ｄコンバータ８（図１参照）に与えられる。尚、インバータ２４とコンデンサ２５は、微分器を構成することとなる。【００２７】
このように構成されたオールパスフィルタ７ｂは、２次のオールパスフィルタを構成する。ここで、一般的に、２次のオールパスフィルタの伝達関数Ｔ（ｓ）は、次式（１）のように表される。【００２８】
【数１】
2005083883.tif 000002
【００２９】
但し、Ｑはクオリティファクタ、ｓはラプラス演算子、ωoは固有角周波数、ωは角周波数である。この伝達関数Ｔ（ｓ）からも分かるように、オールパスフィルタ７ｂのような２次のオールパスフィルターの利得（ゲイン）は、周波数に依存せず１になる。ここで、関数Ｔ（ｓ）における位相θは次式（２）のように表される。【００３０】
【数２】
2005083883.tif 000003
【００３１】
従って、群遅延をＧＤとすると、次式（３）が成立する。【００３２】
【数３】
2005083883.tif 000004
【００３３】
更に、直流域における群遅延をＧＤωｏとすると、次式（４）が成立する（ω＝０を上記式（３）に代入することで、ＧＤωｏは得られる）。【００３４】
【数４】
2005083883.tif 000005
【００３５】
ここで、図２におけるコンデンサ２５とコンデンサ２６の静電容量を、それぞれＣ１、Ｃ２とすると、オールパスフィルタ７ｂの伝達関数Ｔ（ｓ）は、次式（５）のようになる。【００３６】
【数５】
2005083883.tif 000006
【００３７】
この式（５）と、一般的な２次のオールパスフィルタの伝達関数の式（１）と比較すると、以下の式（６）及び（７）が成立する。【００３８】
【数６】
2005083883.tif 000007
【００３９】
【数７】
2005083883.tif 000008
【００４０】
上記式（６）及び（７）を、上記式（４）に代入すると、オールパスフィルタ７ｂの直流域の群遅延ＧＤωｏは、２Ｃ１／ｇｍ１となり、ｇｍアンプ２３のコンダクタンスｇｍ２に依存しないことが分かる。即ち、ｇｍアンプ２２のコンダクタンスｇｍ１を固定し、ｇｍアンプ２３のコンダクタンスｇｍ２を変化させることにより、オールパスフィルタ７ｂに入力された信号の直流域の群遅延を固定し、容易に高域のみの群遅延を調整することができる。尚、等リプルフィルタ７ａの位相対周波数特性は線形なのであるから、ｇｍアンプ２２のコンダクタンスｇｍ１を固定し、ｇｍアンプ２３のコンダクタンスｇｍ２を変化させることにより、波形等化部７に入力された信号の直流域の群遅延を固定しつつ、高域のみの群遅延を調整することができるともいえる。【００４１】
また、ｇｍアンプ２２のコンダクタンスｇｍ１を固定し、全く可変とする必要がなければ、ｇｍアンプ２２を可変コンダクタンスアンプとせず、固定のコンダクタンスを有したコンダクタンスアンプとしてもよい。その場合は、ｇｍアンプ２２の回路規模を小さくできるとともに、ＣＰＵ１１がｇｍアンプ２２を制御する必要がなくなるので、該制御を行う配線の省略及びＣＰＵ１１の処理の簡略化が図れる。【００４２】
（図３、４：群遅延特性グラフ）
次に、図３及び図４を用いてオールパスフィルタ７ｂの群遅延特性を説明する。図３及び図４は、横軸を周波数、縦軸を群遅延とし、オールパスフィルタ７ｂの群遅延特性を上記式（５）に基づき算出して図示したものである。図３、図４の双方において、Ｃ１＝Ｃ２＝１ｐＦ（ピコファラッド）としている。【００４３】
図３における曲線４０、４１、４２は、それぞれ（ｇｍ１、ｇｍ２）＝（１．０、１．５）、（１．０、１．０）、（１．０、０．５）［ｍＡ／Ｖ］（［ミリアンペア／ボルト］）とした時の群遅延特性を示している。即ち、曲線４０、４１及び４２はｇｍ１を固定した上で、ｇｍ２を変化させたときの群遅延特性の変化を示していることにもなる。【００４４】
曲線４０では、周波数：約１５０ＭＨｚで群遅延は最大（約３．０ｎｓｅｃ）となり、曲線４１では、周波数：約１３０ＭＨｚで群遅延は最大（約４．３ｎｓｅｃ）となり、曲線４２では、周波数：約１００ＭＨｚで群遅延は最大（約８．３ｎｓｅｃ）となっている。また、曲線４０〜４２に対応するｇｍ１は全て１．０［ｍＡ／Ｖ］であるため、曲線４０〜４２の直流域における群遅延は、全て２．０ｎｓｅｃとなっている（曲線４０〜４２の全てにおいて、低域の１０ＭＨｚ以下では群遅延は、ほぼ２ｎｓｅｃとなっている）。【００４５】
例えば、直流域における群遅延より周波数１３０ＭＨｚにおける群遅延の方が２．３ｎｓｅｃ分だけ小さい信号がオールパスフィルタ７ｂに入力（或は、波形等化部７に入力）された場合、（ｇｍ１、ｇｍ２）＝（１．０、１．０）に調整して、該信号の群遅延差を補正する（直流域における群遅延と周波数１３０ＭＨｚにおける群遅延との差をなくす）。【００４６】
また、曲線４０、４１、４２のそれぞれにおいて、群遅延が最大になる周波数は、約１００ＭＨｚ〜約１５０ＭＨｚと近似している。従って、群遅延を補正する周波数が１３０ＭＨｚである等、固定されている場合（予め分かっている場合）には、ｇｍ１を固定した上でｇｍ２を可変とし、ＣＰＵ１１がｇｍ２のみを調整（設定）するようにすれば、調整が容易となる。【００４７】
一方、図４における曲線５０、５１、５２は、それぞれ（ｇｍ１、ｇｍ２）＝（１．５、１．５）、（１．０、１．０）、（０．５、０．５）［ｍＡ／Ｖ］とした時の群遅延特性を示している。【００４８】
曲線５０では、周波数：約２００ＭＨｚで群遅延は最大（約２．８ｎｓｅｃ）となるとともに直流域の群遅延は約１．３ｎｓｅｃとなる。曲線５１では、周波数：約１３０ＭＨｚで群遅延は最大（約４．３ｎｓｅｃ）となるとともに直流域の群遅延は２．０ｎｓｅｃとなる。曲線５２では、周波数：約７０ＭＨｚで群遅延は最大（約８．６ｎｓｅｃ）となるとともに直流域の群遅延は４．０ｎｓｅｃとなる。【００４９】
また、図３における曲線４０、４１、４２のそれぞれにおいて、群遅延が最大になる周波数が約１００ＭＨｚ〜約１５０ＭＨｚと近似しているのに比して、曲線５０、５１、５２のそれぞれにおいて、群遅延が最大になる周波数は大きく相違している。従って、群遅延を補正する周波数が７０ＭＨｚ〜２００ＭＨｚである等、流動的である場合は、ｇｍ１のみを或いはｇｍ１とｇｍ２の双方を調整するようにすれば、調整が容易となる。【００５０】
上述したように波形等化部７は、高域の周波数帯域をブーストする等リプルフィルタ７ａと、等リプルフィルタ７ａの出力する信号の群遅延差を補償（補正）するオールパスフィルタ７ｂとを備え、ブースト量の調整と群遅延の調整を別個独立に行うことができるため、双方の調整を容易に行うことができる。【００５１】
（図５：オールパスフィルタの変形）
次に、図５を用いて、オールパスフィルタ７ｂの具体的回路構成の変形例であるオールパスフィルタ６７ｂを説明する。オールパスフィルタ６７ｂを、図１におけるＣＤ再生装置１のオールパスフィルタ７ｂの代わりに用いても良く、以下、図１におけるオールパスフィルタ７ｂをオールパスフィルタ６７ｂに置き換えたものとして説明する。【００５２】
オールパスフィルタ６７ｂは、２つの差動入力差動出力型の可変コンダクタンスアンプ７０及び７１を有し、それぞれのコンダクタンスｇｍ１、ｇｍ２は（図５では図示されない）ＣＰＵ１１からの電流制御または電圧制御により、それぞれ自在に設定可能となっている。等リプルフィルタ７ａの出力電圧Ｖｉｎは、端子６１を基準として端子６０に与えられており、その電圧Ｖｉｎは、ｇｍアンプ７１の差動入力端子に与えられている（該差動入力端子の負入力端子（−）を基準として該差動入力端子の正入力端子（＋）に与えられている）。【００５３】
端子６０は、コンデンサ７３を介してｇｍアンプ７０の差動出力端子の負出力端子（−）及びｇｍアンプ７１の差動入力端子の負入力端子（−）に夫々接続されるとともに、コンデンサ７４を介してｇｍアンプ７１の差動出力端子の正出力端子（＋）及び端子６２に夫々接続されている。【００５４】
端子６１は、コンデンサ７２を介してｇｍアンプ７０の差動出力端子の正出力端子（＋）及びｇｍアンプ７１の差動入力端子の正入力端子（＋）に夫々接続されるとともに、コンデンサ７５を介してｇｍアンプ７１の差動出力端子の負出力端子（−）及び端子６３に夫々接続されている。【００５５】
また、ｇｍアンプ７１の差動出力端子に加わる電圧は、ｇｍアンプ７０及び７１の入力に帰還されている。具体的には、ｇｍアンプ７１の差動出力端子の正出力端子（＋）は、ｇｍアンプ７０の負帰還入力端子の負入力端子（−）及びｇｍアンプ７１の負帰還入力端子の負入力端子（−）の夫々に接続されるとともに、ｇｍアンプ７１の差動出力端子の負出力端子（−）は、ｇｍアンプ７０の負帰還入力端子の正入力端子（＋）及びｇｍアンプ７１の負帰還入力端子の正入力端子（＋）の夫々に接続されている。【００５６】
端子６３に加わる電圧を基準とした端子６２に加わる電圧Ｖｏｕｔは、オールパスフィルタ６７ｂの出力電圧として、Ａ／Ｄコンバータ８（図１参照）に与えられる。また、コンデンサ７２、７３の双方の静電容量をＣ１とし、コンデンサ７４、７５の双方の静電容量をＣ２とする。【００５７】
このように構成されたオールパスフィルタ６７ｂにおいても、上記式（５）〜（７）は成立し、群遅延特性も図３及び図４と同様となる。【００５８】
＜＜変形等＞＞
上述の実施例においては、被記録媒体としてＣＤを例に挙げ、情報再生装置としてＣＤ再生装置を例に挙げて説明したが、被記録媒体としてはＣＤの他、ＣＤ−Ｒ（Compact  Disk  Recordable）、ＣＤ−ＲＯＭ（Compact  Disk  Read  Only  Memory）、ＣＤ−ＲＷ（Compact  Disk  ReWritable）、ＭＤ（Mini  Disk）、ＭＯ（Magneto  Optical  disk）、ＤＶＤ（Digital  Versatile  Disk）、ＤＶＤ−Ｒ（Digital  Versatile  Disk  Recordable）、ＤＶＤ−ＲＯＭ（Digital  Versatile  Disk  Read  Only  Memory）、ＤＶＤ−ＲＷ・ＤＶＤ＋ＲＷ（Digital  Versatile  Disk  ReWritable）、ＤＶＤ−ＲＡＭ（Digital  Versatile  Disk  Random  Access  Memory）、ＢＤ（Blu-ray  Disc）等の光ディスク・光磁気ディスクや、フロッピー（登録商標）ディスク、ハードディスク等の磁気ディスクであってもよく、情報再生装置としてはＣＤ再生装置の他、上記のＭＤ等のそれぞれを再生する情報再生装置であってもよい。【００５９】
また、図１の波形等化部７において、等リプルフィルタ７ａの後段にオールパスフィルタ７ｂを接続しているが、等リプルフィルタ７ａの前段にオールパスフィルタ７ｂを接続して波形等化部を構成してもよい。
【産業上の利用可能性】
【００６０】
本発明に係る波形等化器及び情報再生装置によれば、減衰した周波数帯域のゲイン調整と群遅延の調整を別個独立に行うことができ、信号の等化処理を容易に行うことができる。
【図１】
2005083883.tif 000009
【図２】
2005083883.tif 000010
【図３】
2005083883.tif 000011
【図４】
2005083883.tif 000012
【図５】
2005083883.tif 000013
【図６】
2005083883.tif 000014
【図７】
2005083883.tif 000015
【国際調査報告】
2005083883.tif 000016
2005083883.tif 000017
2005083883.tif 000018
2005083883.tif 000019